(57)【要約】【課題】正規の払い出し信号によらずに払い出し装置が作動することにより、不正にメダルを払い出させる行為を防止する。【解決手段】ベース体に回転自在に軸支された穴あき回転ディスクとベース体から突出するガイドピンによりメダルを払い出す払い出し装置において、正規の払い出し信号がなく払い出しが検知された場合に、前記ガイドピンをベース体内に位置させる。【選択図】    図８
2009226112.tif 000002
【特許請求の範囲】
【請求項１】
ベース体と、ベース体に回転自在に軸着された回転ディスクと、回転ディスクを駆動する駆動装置と、制御装置からの払い出し信号に基づいて駆動装置を制御する払い出し制御手段とを備えたメダル払い出し装置であって、
回転ディスクは、厚さ方向に貫通し上面部からメダルを受け入れる収納孔と、
回転ディスクの外周面に設けられたメダル放出口と、
収納孔とメダル放出口とを連通するメダル通路とを有し、
ベース体には、収納孔にメダルが収納されている場合に、このメダルと当接することで、収納されたメダルをメダル放出口を介して回転ディスク外へと押し出すガイドピンと、
ガイドピンを、収納孔に収納されたメダルと当接する突出位置と、当接しない退避位置とで出没自在に制御するガイドピン制御手段と、
ガイドピンによって押し出されたメダルが通過する排出路とが形成されるとともに、
ガイドピン制御手段は、払い出し制御手段によらずに駆動装置が作動した場合に、ガイドピンを突出位置から退避位置へと制御するように形成されたことを特徴とするメダル払い出し装置。
【請求項２】
ベース体と、ベース体に回転自在に軸着された回転ディスクと、回転ディスクを駆動する駆動装置と、制御装置からの払い出し信号に基づいて駆動装置を制御する払い出し制御手段とを備えたメダル払い出し装置であって、
回転ディスクは、厚さ方向に貫通し上面部からメダルを受け入れる収納孔と、
回転ディスクの外周面に設けられたメダル放出口と、
収納孔とメダル放出口とを連通するメダル通路とを有し、
ベース体には、収納孔にメダルが収納されている場合に、このメダルと当接することで、収納されたメダルをメダル放出口を介して回転ディスク外へと押し出すガイドピンと、
ガイドピンを、収納孔に収納されたメダルと当接する突出位置と、当接しない退避位置とで出没自在に制御するガイドピン制御手段と、
ガイドピンによって押し出されたメダルが通過する排出路とが形成されるとともに、
ガイドピン制御手段は、常態においてガイドピンを待避位置に置き、払い出し制御手段による駆動装置の作動が行われたときに、ガイドピンを待避位置から突出位置へと制御するように形成されたことを特徴とするメダル払い出し装置。
【発明の詳細な説明】
【技術分野】
【０００１】
本発明は、メダルをホッパーによって払い出し可能な機器、例えばスロットマシンに用いるのに適し、特に、不正な操作により、メダルの払い出しを行わないようなメダル払い出し装置に関するものである。
【背景技術】
【０００２】
従来から、人々に娯楽を提供する遊技機としてスロットマシンが利用されている。スロットマシンは、複数種類の図柄が記されるとともに回転駆動可能に設けられた複数の回転リールを備えたものであり、遊技者は、複数の回転リールに設けられた複数種類の図柄を所定の組合せに揃える遊技を遊技者に行わせるものとなっている。
すなわち、遊技者がメダルをスロットマシンに投入した後、スタートレバーを操作すると、複数の回転リールが一斉に回転駆動され、この後、ストップボタンを適宜押圧操作すると、ストップボタンに対応した回転リールが適宜停止するようになっている。そして、回転リールが停止した際に、リール窓内に表示された複数の図柄が特定の組合せに揃ったときに入賞となり、入賞すると、入賞により払い出すべき枚数のメダルがスロットマシンから遊技者に払い出されることとなる。
【０００３】
このようなメダルの払い出しのために、スロットマシンには、内部に貯留しているメダルを遊技者に払い出すための払い出し装置が設けられ、遊技者が遊技の結果、入賞すると、この払い出し装置を駆動させて、入賞により払い出すべき枚数のメダルを払い出すようになっている。
一般に、この様な払い出し装置は、遊技を制御する制御装置からの払い出し信号の入力をもって、払い出し制御手段が駆動モータ等を駆動させ、この駆動モータに接続された回転ディスクの回転動により、一枚ずつ外部へメダルを払い出すような回転型の払い出し装置が主流となっている。
【０００４】
ところで、近年、正規の方法とは異なる方法により、上記のような払い出し装置を誤動作させ、不正にメダルを獲得するいわゆるゴト行為が発生している。例えば、遊技機の筐体外部から異物等を差し込み電気回路をショートさせ、制御装置の判断を狂わせることにより、正規の払い出し信号、つまり、払い出し制御手段による駆動モータ等の作動に依らずに回転ディスクのみを駆動させることで、不正にメダルを獲得する様な行為が発生している。
そこで、この様な行為に起因した不正なメダルの払い出しを防止する技術として、メダル払い出し装置の回転ディスクを所定の契機以外はロックするロック手段を備えたものが知られている（特許文献１参照。）。
【特許文献１】特開２００４−６５３２９号公報
【発明の開示】
【発明が解決しようとする課題】
【０００５】
しかし、上記特許文献１に記載のメダル払い出し装置は、不正な行為により回転しようとする回転ディスクを係止部材により物理的に係止し、強制的に回転ディスクが回転しないようにするものであるため、駆動モータに過剰な負荷が掛かり払い出し装置が損傷する可能性が高まるといった点が危惧されていた。
そこで、本願請求項に記載された発明は、上記した従来の技術の有する問題点に鑑みてなされたものであり、その目的とするところは、回転ディスクが不正な手段で回転駆動させられた場合であっても、回転ディスクの駆動部分に負荷を掛けずに効果的に不正行為を防止することが可能な払い出し装置を備えたスロットマシンを提供することである。
【課題を解決するための手段】
【０００６】
本願請求項に記載された発明は、前述の目的を達成するためになされたもので、
ある。以下に、各発明の特徴点を、図面に示した発明の実施の形態を用いて説明する。
なお、符号は、発明の実施の形態において用いた符号を示し、本発明の技術的範囲を限
定するものではない。
（請求項１）
（特徴点）
請求項１記載の発明は、次の点を特徴とする。
すなわち、請求項１に記載された発明は、ベース体と、ベース体に回転自在に軸着された回転ディスクと、回転ディスクを駆動する駆動装置と、遊技を制御する制御装置からの払い出し信号に基づいて駆動装置を制御する払い出し制御手段とを備えたメダル払い出し装置であって、回転ディスクは、厚さ方向に貫通し上面部からメダルを受け入れる収納孔と、回転ディスクの外周面に設けられたメダル放出口と、収納孔とメダル放出口とを連通するメダル通路と、を有し、
ベース体には、収納孔にメダルが収納されている場合に、このメダルと当接することで、収納されたメダルをメダル放出口を介して回転ディスク外へと押し出すガイドピンと、
ガイドピンを、収納孔に収納されたメダルと当接する突出位置と、当接しない退避位置とで出没自在に制御するガイドピン制御手段と、ガイドピンによって押し出されたメダルが通過する排出路と、を有するとともに、
ガイドピン制御手段は、払い出し制御手段によらずに駆動装置が作動した場合に、ガイドピンを突出位置から退避位置へと移動させるように形成されていることを特徴とする。
【０００７】
（請求項２）
（特徴点）
請求項２記載の発明は、次の点を特徴とする。
ベース体と、ベース体に回転自在に軸着された回転ディスクと、回転ディスクを駆動する駆動装置と、制御装置からの払い出し信号に基づいて駆動装置を制御する払い出し制御手段とを備えたメダル払い出し装置であって、
回転ディスクは、厚さ方向に貫通し上面部からメダルを受け入れる収納孔と、
回転ディスクの外周面に設けられたメダル放出口と、
収納孔とメダル放出口とを連通するメダル通路とを有し、
ベース体には、収納孔にメダルが収納されている場合に、このメダルと当接することで、収納されたメダルをメダル放出口を介して回転ディスク外へと押し出すガイドピンと、
ガイドピンを、収納孔に収納されたメダルと当接する突出位置と、当接しない退避位置とで出没自在に制御するガイドピン制御手段と、
ガイドピンによって押し出されたメダルが通過する排出路とが形成されるとともに、
ガイドピン制御手段は、常態においてガイドピンを待避位置に置き、払い出し制御手段による駆動装置の作動が行われたときに、ガイドピンを待避位置から突出位置へと制御するように形成されたことを特徴とするメダル払い出し装置。
【発明の効果】
【０００８】
本発明によれば、遊技を制御する制御装置からの払い出し信号である正規の払い出し信号によって駆動装置を駆動させる払い出し制御手段によらずに駆動装置が作動した場合には、回転ディスクは回転するものの、回転ディスク内に収納されたメダルを回転ディスク外へと押し出す役割をもつガイドピンが突出位置から退避位置へと移動してしまうので、メダルは回転ディスクの収納孔に収納されたままとなり、回転ディスク外へと押し出されることがない。すなわち、正規の払い出し信号によらずに回転ディスクが回転したとしても、メダルをその収納孔に保持したまま回転を続けるだけで、メダルは払い出されないので、回転ディスクを駆動する駆動装置に負荷をかけることなく不正なメダルの払い出しを防止することが可能なメダル払い出し装置を提供することができる。
【発明を実施するための最良の形態】
【０００９】
以下に、本発明を実施するための最良の実施形態について、図面を参照しながら説明する。  図１はスロットマシンの外観正面図、図２はスロットマシンの入力、出力、及び制御を示すブロック図、図３はスロットマシンの払い出し装置の全体概略図、図４は払い出し装置を構成する回転ディスクの概略図、図５〜図６は払い出し装置からメダルが払い出される状態を示した概略図、図７は、払い出し装置のガイドピンが突出位置にあるときの、図８は、同ガイドピンが退避位置にあるときの、それぞれの状態を示す断面概略図である。
（スロットマシン１）
本実施形態に係るスロットマシン１は、図１に示すように、当該スロットマシン１の各種装置を収納するために、正面形状が長方形となった箱状の本体キャビネット２を備えたものとなっている。
【００１０】
本体キャビネット２は、正面全体が開口された箱状の部材である。そして、本体キャビネット２には、その開口を塞ぐための前扉３が回動可能に設けられている。
前扉３は、上部扉３Ａと下部扉３Ｂとの２枚の扉から構成されている。
上部扉３Ａには表示窓が設けられ、この表示窓４の奥に第１リール５、第２リール６、第３リール７が配設されている。各リールの外周には様々な図柄１３が一定ピッチで配列され、各リールが停止した状態では表示窓４を通して１リール当たり３個の図柄１３が観察されるようになっている。これにより、各リールの図柄１３を１個ずつ組み合わせた直線状の入賞ラインが横３本斜め２本の合計５本設定されている。ここで、「入賞」とは、各リールの外周に配列された図柄１３が予め定められた所定の組合せで、表示窓４の入賞ラインに揃って観察可能に表示されることをいう。
【００１１】
この表示窓４の上方には液晶表示装置等からなる表示装置１４が設けられ、例えばアニメーション表示を利用した演出を行う。なお、表示窓４の数は１つに限定する必要はなく、例えば各々のリールを個別に表示する表示窓を複数設けるようにしてもよい。これらの表示装置１４ 及び表示窓４の周囲には、図１中、左方、上方、右方を囲むように、逆Ｕ字形に配列された装飾ランプ部１５ が設けられている。
また、前扉３の上方左右の角隅近傍には、種々の音声を出力するためのスピーカ１６ が設けられている。
下部扉３Ｂの上部には、遊技を開始させるスタートレバー１７、スタートレバー１７の操作により回転する各リール５、６、７を停止させるための第１〜第３のストップボタン１８が設けられている。また、これらの近傍には、貯留（クレジット）されているメダルから３枚のメダルを該ゲームに賭けるためのマックスベットスイッチ１９、貯留（クレジット）されているメダルから１枚のメダルを該遊技に賭けるためのシングルベットスイッチ２０、貯留（クレジット）されたメダルを受皿へと払い戻すための精算スイッチ２１が設けられている。
【００１２】
また、下部扉３Ｂには、ゲームを行う際にメダルを投入するためのメダル投入口２２が設けられている。メダル投入口２２の奥にはセレクタ２３が組み込まれ、不適正なメダルはメダル払出口２４を介してメダル受皿２５に排出される。また、セレクタ２３は、例えばゲームの途中や各種の操作ボタンが押されたままの状態で投入された等の不適切なタイミングでメダルの投入が行われたときにも、投入されたメダルをメダル受皿２５に排出する。なお、メダルの投入には、メダルをメダル投入口２７から直接投入する場合の他に、クレジットされたメダルを、いずれかのベットスイッチの操作により投入（ベット）するものも含まれる。
【００１３】
本体キャビネット２内部には、図２に示すように、遊技、及び、演出を制御する制御装置２６が格納されている。
（制御装置２６）
制御装置２６は、マイクロコンピュータを利用したＣＰＵ並びにＲＯＭ及びＲＡＭ等の記憶手段を含んで構成されたハードウェアに、演出動作制御や遊技動作制御を行うためのソフトウェアがインストールされたものである。
このような制御装置２６は、信号の受信や送信を行うために、図示しない信号入力部及び制御信号出力部を備えている。
【００１４】
このうち、信号入力部には、前述したセレクタ２３、マックスベットスイッチ１９ 、シングルベットスイッチ２０ 、精算スイッチ２１、スタートレバー１７、及び、ストップスイッチ１８等、遊技者により操作されて遊技用の信号を出力する機器が電気的に接続されている。
一方、制御信号出力部には、リールユニット４、払い出し装置２７、装飾ランプ部１５及びスピーカ１６、並びに、表示装置１４等、能動的に動作する装置が電気的に接続されている。これにより、制御装置２６は、遊技者の操作や遊技の結果に対応して、リールユニット４、払い出し装置２７、装飾ランプ部１５、スピーカ１６、及び、表示装置１４等の動作制御が行えるようになっている。
【００１５】
このような制御装置２６には、インストールされている前述のソフトウェアにより、遊技全般を制御する遊技制御手段２８、演出全般を制御する演出制御手段３２、払い出し制御手段３６から構成されている。
（遊技制御手段２８）
遊技制御手段２８は、スタートレバー１７及びストップスイッチ１８の操作に対応した回転リール１０、１１、１２の回転開始あるいは回転停止等の動作を制御するリール制御手段２９と、所定の当選フラグが成立したか否かを抽選する当否抽選手段３０、停止した回転リールに表示された図柄１３に基づいて入賞したか否かの判定を行う入賞判定手段３１とを少なくとも有している。
（演出制御手段３２）
演出制御手段３２は、遊技制御手段２８からの信号に応じて、当選役や、その入賞の可否、遊技の進行状態等に合わせて、発光演出手段３３、音演出手段３４、表示演出手段３５のいずれかを単独で、又は、組み合わせて実行することにより遊技の興趣を盛り上げる演出を実行させる。
【００１６】
（発光演出手段３３）
発光演出手段３３は、装飾ランプ部１５を、点灯、点滅等の種々の発光態様により発光させ、遊技の進行状態あるいは特定の当選役に当選したこと等を報知する演出を行う。
（音演出手段３４）
音演出手段３４は、スピーカ１６によって、当選した役に対応する効果音や、特定の図柄１３の組合せを表示（入賞）させることができた場合に入賞音を発生させる等、音による演出を行う。
（表示演出手段３５）
表示演出手段３５は、液晶等からなる表示装置１４に、キャラクターや、アニメーション等を表示させることにより、遊技結果を示唆する演出や、遊技の状況を報知する演出等を表示する演出を行う。
【００１７】
（払い出し制御手段３６）
払い出し制御手段３６は、制御装置２６からの正規の払い出し信号、すなわち入賞判定手段３１による入賞判断を受けての払い出し信号、若しくは、メダルが貯留（クレジット）されている場合の精算スイッチ２１の操作信号の入力により、払い出し装置２７を作動させメダルを払い出す。また払い出し制御手段３６は、正規の払い出し信号を受けていないにもかかわらず、駆動装置４１による回転ディスク３９の回転を検知した場合は、ガイドピン制御手段７０に制御信号を出力する。
ガイドピン制御手段７０は、払い出し制御手段３６からの制御信号を受けて、後述するガイドピンユニット６２のソレノイド６６に励磁信号を出力し、ガイドピン５０、５１を待避位置に移動させる。
【００１８】
なおここで、「正規の払い出し信号を受けていないにもかかわらず、駆動装置４１による回転ディスク３９の回転を検知した場合」とは、詳細な図示は省略するものの、例えば制御装置２６からの払出信号が入力されていないにもかかわらず、駆動装置４１の回転開始時の電流値変化があった場合等である。具体的には、制御装置２６からの払出信号と駆動装置４１の回転開始時の電流値変化とを関連付けて置き、制御装置２６からの払出信号がないにもかかわらず駆動装置４１から回転開始時の電流値変化が検知された場合に、「正規の払い出し信号を受けていないにもかかわらず、駆動装置４１による回転ディスク３９の回転を検知した場合」と判断することができる。
【００１９】
更に、「正規の払い出し信号を受けていないにもかかわらず、駆動装置４１による回転ディスク３９の回転を検知した場合」とは、他の手段を採用することもできる。
次に、このスロットマシン１に組み込まれる払い出し装置２７について、図３〜図９を参照して説明する。
払い出し装置２７は、入賞に対するメダルの払い出しや、精算スイッチ２１を押圧操作したときに貯留（クレジット）されたメダルの払い出しを行う装置である。この払い出し装置２７は、図２に示すように、メダルを貯留する貯留タンク３７、複数のメダル収納孔３８を有する回転ディスク３９、回転ディスク３９が回転自在に軸支されるベース体４０、回転ディスク３９を回転駆動する駆動装置４１から主に構成されている。
（貯留タンク３７）
貯留タンク３７は、図３に示すように、ベース体４０に取り外し自在に組み付けられるとともに、その上面部及び底面部が開口され、その断面積が下に向かって小さくなるよう上面部から底面部に向けて先窄まりとなるように構成されている。この貯留タンク３７の上面部からは、メダル投入口２２から投入されたメダルが送り込まれる他に、例えば遊技場に設置されたメダル供給装置から供給されるメダルが送り込まれる場合もある。この貯留タンク３７の底面部に設けられた開口は円形状に形成されており、回転ディスク３９よりも、僅かに小さい円形開口を形成するようになっている。
（回転ディスク３９）
回転ディスク３９は、図４に示すように、メダル厚よりも厚い厚さ寸法を有する円盤状に形成され、厚さ方向に貫通するメダル収納孔３８が、円周方向に沿って５つ開設されている。このメダル収納孔３８は、メダルより僅かに大きく形成されており、貯留タンク３７内に貯留されたメダルを回転ディスク３９の上面から受け入れて、その内部に保持できるように形成されている。また、回転ディスク３９の中央部には、後述する駆動装置４１の駆動軸４２と同時に回転するように接続固定するための固定孔４３が開設されている。
【００２０】
回転ディスク３９の外周面にはメダル収納孔３８に対応して５つの放出口４４が設けられている。これら放出口４４は、回転ディスク３９の回転中心とメダル収納孔３８の中心とを結ぶ直線上に配置されている。
また、この回転ディスク３９のメダル収納孔３８に位置しているメダルは、ベース体４０の表面を移動していくが、ここでこのメダルが移動するベース体表面をメダル載置面４７と称する。
更にこの各放出口４４は、回転ディスク３９の外周面付近で、かつ回転ディスク３９の上面側に位置する屋根部を有し、各放出口４４は正面門型に切り欠かれているように見える。
【００２１】
これら放出口４４とメダル収納孔３８との間には、放出口４４とメダル収納孔３８とを連通させるメダル通路４５が設けられている。
一方、メダル収納孔３８、メダル通路４５及び放出口４４にかけて、回転ディスク３９の裏面には、回転ディスク３９の回転方向に沿った２重円状となるような２つの溝４８、及び溝４９が設けられている。従って、回転ディスク３９の裏面には、２つの溝４８及び溝４９に囲まれた結果、突条のように下方に突出しているメダルガイド部４６が設けられていることとなる。
メダル収納孔３８に位置しているメダルは、回転ディスク３９の回転に伴って、メダルガイド部４６の高さ方向側面で、メダル載置面４７を滑るようにして回転ディスク３９の回転方向、及び放出口４４方向に向かって案内可能に形成されている。これにより、回転ディスク３９のメダル収納孔３８に受け入れられたメダルは、回転ディスク３９の回転とともに周回し、メダル通路４５を介して、放出口４４から送り出される。
【００２２】
なお、前記溝４８、４９は、後述するガイドピン５０、５１に、それぞれ対応するように形成されており、回転ディスク３９の回転動に干渉しないような幅、及び、深さで穿設されている。
次に、ベース体４０について、図３、図８、及び図９を用いて説明する
（収納部５２）
ベース体４０は、図３に示すように、略箱形状から構成されており、その上面部４０ａが傾斜した斜面から構成されている。この上面部４０ａの略中央には、円筒形状に窪んだ収納部５２が設けられており、この収納部５２に、回転ディスク３９が収納される。
（メダル載置面４７）
収納部５２の底面にはメダル載置面４７が形成され、メダル収納孔３８に保持されたメダルをその表面にて載置した状態で回転移送させる。このメダル載置面４７には、回転ディスク３９の回転中心から、２つの溝４８、４９間での距離に等しい距離のところに、ガイドピン５０、５１が挿通するピン挿通孔６７、６７が設けられている。また、収納部５２の中心には後述する駆動装置４１の駆動軸４２が挿通される駆動軸挿通口５３が設けられている。
（排出路５４）
収納部５２の周縁５２ａの一部は切り欠かれており、回転ディスク３９から送り出されたメダルが通過する排出路５４が形成されている。
【００２３】
排出路５４は、メダルＭよりも広い幅を有する溝から構成され、回転ディスク３９の放出口４４から送り出されたメダルＭをこの排出路５４を介して図示せぬ払い出しシュートに送り出す。払い出しシュートはメダル払い出し口２４へと連絡している。
（カウンターアーム５５）
この排出路５４の内部には、排出路５４を通過するメダルを検知するとともに、排出路５４の所定の位置に達したメダルを図示せぬ払い出しシュートに向けて弾き出すカウンターアーム５５が設けられている。
カウンターアーム５５は、軸部５６と、被押圧部５７と、これらを連結するアーム部５８とを備えている。軸部５６は、ベース体４４の内部に軸支されており、軸部５６が回動したときに、後述するフォトインタラプタ５９によって、その回動が検知されるインデックス６０が設けられている。
【００２４】
ベース体４４の排出路５４にはガイド孔６１が設けられ、被押圧部５７は、ガイド孔６１に挿通されることで排出路５４に突出した状態で保持されている。排出路５４を通過しようとするメダルは、このカウンターアーム５５の被押圧部５７と必ず接触するように形成されている。
この被押圧部５７は、アーム部５８に、回転自在に軸支されるとともに、回転ディスク３９から送り出されるメダルの周面に押圧されることで、図６中のガイド孔６１に沿って移動自在に形成されている。
カウンターアーム５５のアーム部５８には、図示せぬ付勢部材が組み付けられており、この付勢部材によりカウンターアーム５５が初期位置（図５における位置）に向けて付勢されている。                          
【００２５】
カウンターアーム５５は、上述のように図示せぬ付勢部材によって初期位置に付勢されているため、回転ディスク３９の回転動のみによって払い出し口２４へ向かおうとするメダルを、被押圧部５７によって回転ディスク３９内に押し戻すように作用する。
つまり、このカウンターアーム５５により、メダル収納孔３８に保持したメダルが回転ディスク３９の回転動による遠心力で、メダル払い出し口２４へと送り出されてしまうような意図せぬ払い出しを防ぐ役割も備えもつ。
フォトインタラプタ５９は、カウンターアーム５５が回転したときに、その軸部５６に設けられたインデックス６０を検知するために設けられている。このフォトインタラプタ５９によってインデックス６０が検知されると、その検知信号が制御装置２６に払い出し検知信号として出力される。
【００２６】
出力された払い出し信号をカウント数としてとらえ、カウント数が、入賞に対して払い出すメダル数に一致した場合には、駆動モータ７１の駆動を停止させる。
なお制御装置２６では、駆動装置４１の電流値変化を取得している。駆動装置４１が、メダルを払い出すために回転ディスク３９の回転を開始すると、一定値の範囲での電流値の変化が生じる。従って、メダルを払い出すために行われる回転ディスク３９の回転開始は、取得している電流値変化としてとらえることができる。
ベース体４０の内部には、図７及び図８に示すようにガイドピンユニット６２と、駆動装置４１とが、それぞれの挿通口に対応する位置に設けられている。
（ガイドピンユニット６２）
ガイドピンユニット６２は、２つのガイドピン５０、５１と、この２つのガイドピンを反突出方向で連結する連結部材６５と、２つのガイドピン５０、５１を突出方向に付勢する付勢部材６４と、連結部材６５を２つのガイドピン５０、５１の反突出方向に移動させるためのソレノイド６６を備えている。またここで、前記連結部材６５及び付勢部材６４は、ベース体４０内部に設けられたガイドピンユニット収納部６３に収納するように形成されている。
【００２７】
（ガイドピン５０、５１）
ガイドピン５０、５１は、円柱状に形成されており、ベース体４０に設けられたピン挿通孔６７、６７を介して、メダル載置面４７から突出する突出部５０ａ、５１ａと、突出部５０ａ、５１ａと反対側の端部外周面に設けられ、突出部５０ａ、５１ａの突出位置を規制する鍔部５０ｂ、５１ｂとから構成されている。これらガイドピン５０、５１は付勢部材６４によって突出方向に向かって付勢されており、この付勢部材６４によって、ベース体４０のメダル載置面４７から突出した状態（以下、「突出位置」）を維持するように形成されている。
【００２８】
連結部材６５は、ガイドピン５０、５１を互いに平行な状態で連結する板状の部材で、ガイドピン５０、５１が下方から挿入される開口を両端に有している。この両端の開口の大きさは、ガイドピン５０の直径よりやや大きく、ガイドピン５０の鍔部５０ｂよりは小さくなるように形成されている。この両端の開口にガイドピン５０、５１が下方から挿通されて取り付けられる。つまり、ベース体４０とガイドピン５０、５１の鍔部５０ｂとの間にこの連結部材６５が位置するように構成されている。連結部材６５の中央付近にはソレノイド６６と結合する結合部６８が設けられている。
ソレノイド６６は、連結部材６５の結合部６８と結合しており、ガイドピン制御手段７０の励磁信号を受けて励磁状態になると、連結部材６５を介してガイドピン５０、５１を同時に反突出方向に向けて移動させるとともに、ガイドピン５０、５１を、ベース体４０のメダル載置面４７から突出しない状態（以下、「退避位置」）へ維持するように形成されている。
（駆動装置４１）
駆動装置４１は、ベース体４０内部に設けられた駆動モータ７１と、駆動軸挿通口５３に挿通して回転ディスク３９と接続される駆動軸４２とから構成されている。
【００２９】
駆動モータ７１は、払い出し制御手段３６からの駆動信号が入力されることで通電が行われ、駆動軸４２を介して回転ディスク３９を図５中Ａ方向に回転させる。
次に、このような払い出し装置２７を搭載したスロットマシン１におけるメダルの払い出し制御及び動作について説明する。
本実施例の様なスロットマシン１において、正規にメダルの払い出しを行う場合は、遊技を制御する制御装置によって、入賞によるメダルの払い出し信号が払い出し制御手段３６に入力された場合と、メダルが貯留（クレジット）されている場合において精算スイッチ２１の操作により払い出し信号が払い出し制御手段３６に入力された場合である。
【００３０】
入賞によるメダルの払い出し信号が払い出し制御手段３６に入力された場合は、制御装置２６の払い出し制御手段３６から、払い出し装置２７に向けて払い出し信号が出力される。また、メダルの精算スイッチ２１の操作信号の入力があった場合も、同様に制御装置２６の払い出し制御手段３６から、払い出し装置２７に向けて払い出し信号が出力される。
払い出し信号が入力された払い出し装置２７は駆動モータ７１を駆動させ、回転ディスク３９を図５中Ａ方向に回転させる。回転ディスク３９の回転により、貯留タンク３７の最下部に貯留されるメダルのいずれかが回転ディスク３９のメダル収納孔３８のいずれかに入り込む。そして、メダル収納孔３８に入り込んだメダルＭは、回転ディスク３９とともに回転する。
【００３１】
回転ディスク３９の回転によって、メダル収納孔３８に受け入れられたメダルＭは、図５に示すように、まず、ガイドピン５０の外周面に当接する。そして、ガイドピン５０とメダルガイド部４６に挟持されたメダルＭは、メダル通路４５内を回転ディスク３９の外周方向に向けて押し出されていく。
更に、回転ディスク３９の回転が進むと、今度は図６に示すようにガイドピン５１の外周面と当接する。そして、やはり、ガイドピン５１とメダルガイド部４６に挟持されたメダルＭは、メダル通路４５内を回転ディスク３９の外周方向に向けて、更に押し出される。この際、図６に示すように、回転ディスク３９の外周方向に押し出されたメダルＭがカウンターアーム５５の被押圧部５７と当接し、カウンターアームの初期位置への付勢力に抗して排出路５４に押し出される。これにより、カウンターアーム５５が軸部５６を中心に回転する。そして、この回転により、フォトインタラプタ５９によってカウンターアーム５５のインデックス６０が検知され、制御装置２６に出力される。
【００３２】
カウンターアーム５５の回動による払い出し検知信号が制御装置２６に出力されると、その検知信号をカウントする。そして、そのカウント数が、入賞に対して払い出すメダル数、若しくは、精算スイッチ２１の操作により払い出すメダル数に一致した場合には、駆動モータ７１の駆動を停止させる。
このように、制御装置２６では、メダル払い出しのための信号を駆動装置４１に送信している。
一方、前記したように、制御装置２６では、駆動装置４１の電流値変化を取得している。
【００３３】
従って、制御装置２６からの払い出し信号と駆動装置４１の回転開始時の電流値変化とを関連付けて置き、制御装置２６からの払い出し信号がないにもかかわらず駆動装置４１から回転開始時の電流値変化が検知された場合に、「正規の払い出し信号を受けていないにもかかわらず、駆動装置４１による回転ディスク３９の回転を検知した場合」と判断するものである。
このような場合には、制御装置２６からガイドピン制御手段７０に制御信号を出力する。
制御装置２６からの制御信号を受けたガイドピン制御手段７０は、ガイドピンユニット６２のソレノイド６６に励磁信号を出力する。そして、励磁信号を受けたソレノイド６６は連結部材６５を下方に向けて移動させ、ガイドピン５０、５１を図９に示す退避位置へと維持する。そのため、メダル収納孔３８に保持されたメダルＭは、ガイドピン５０、５１の外周面に当接せず、放出口４４に向かってガイドされない。つまり、外周方向に押し出されることなくメダル収納孔３８に保持されたままとなるので、回転ディスク３９が回転してもメダルが払い出される事がない。また、カウンターアーム５５をメダルの払い出し方向とは逆向きに付勢するように形成しているため、回転ディスク３９の回転動によって生じる遠心力によって、メダルが払い出されてしまうこともない。
【００３４】
なお、ガイドピン５０、５１がガイドピン制御手段７０により、退避位置に移動させられたことをスピーカ１６や、装飾ランプ部１５、若しくは表示装置１４などから、音や光などを出力させ周囲に報知するようにしてもよい。この様にすれば、不正な行為を発見することが容易になるため、不正な行為を抑制することができる。
上述したように本実施形態によれば、不正な手段によって払い出し装置２７が駆動させられたとしても、メダルを払い出すことがないので遊技の公正を保つことができる。また、回転ディスク３９を係止手段などにより、物理的にロックしないので、不正な手段により払い出し装置２７の駆動信号が出力され続けた場合においても、駆動装置４１に過負荷がかかり続けることがないため、好適である。
【００３５】
なお、以上の実施の形態では、ガイドピン制御手段７０は、払い出し制御手段３６によらずに駆動装置４１が作動した場合に、ガイドピン５０、５１を突出位置から退避位置へと制御するように形成されたとして説明した。
しかしながら、ガイドピン制御手段７０は、常態、つまり、制御装置２６から払い出し信号が出力されていない状態において、ガイドピン５０、５１を待避位置に置き、払い出し制御手段３６による駆動装置４１の作動が行われたときに、ガイドピンを５０、５１を待避位置から突出位置へと制御するように形成することもできる。この様にした場合においても、メダルの不正な払い出し行為を効果的に防ぐことができる
【図面の簡単な説明】
【００３６】
【図１】本発明の実施形態に係るスロットマシンの全体を示す正面図である。
【図２】本発明の実施形態に係るスロットマシンの制御手段を示すブロック図である。
【図３】前記実施形態に係る払い出し装置の分解斜視図である。
【図４】前記払い出し装置の回転ディスクの上面図及び一部拡大図である。
【図５】前記実施形態の払い出し態様を説明するための上面図である。
【図６】前記実施形態の払い出し態様を説明するための上面図である。
【図７】ガイドピンユニットの動きを説明するための断面図である。
【図８】ガイドピンユニットの動きを説明するための断面図である。
【符号の説明】
【００３７】
１  スロットマシン
21  精算スイッチ
27  払い出し装置
36  払い出し制御手段
39  回転ディスク
40  ベース体
62  ガイドピンユニット
65  連結部材
68  結合部
70  ガイドピン制御手段
【図１】
2009226112.tif 000003
【図２】
2009226112.tif 000004
【図３】
2009226112.tif 000005
【図４】
2009226112.tif 000006
【図５】
2009226112.tif 000007
【図６】
2009226112.tif 000008
【図７】
2009226112.tif 000009
【図８】
2009226112.tif 000010